(57)【要約】【課題】色変換テーブルの作成や取得を行う際の使用者の利便性を向上する。【解決手段】印刷に使用するインク構成を変更可能な印刷装置は、第１表色系で表された原画像を印刷用の第２表色系で表される印刷画像に変換するための色変換テーブルを記憶する記憶部と、印刷に使用されるインク構成と、印刷媒体の種類と、を含むテーブル識別情報を取得する識別情報取得部と、取得されたテーブル識別情報に対応する色変換テーブルが記憶部に記憶されていない場合、取得されたテーブル識別情報に対応する色変換テーブルを取得するための複数の手段を選択可能に提示する提示部と、提示された複数の手段から１つの手段が選択された場合に、選択された手段に基づいて、色変換テーブルを準備する準備部と、を備える。【選択図】図２
2020059249.tif 000002
【特許請求の範囲】
【請求項１】
印刷に使用するインク構成を変更可能な印刷装置であって、
第１表色系で表された原画像を印刷用の第２表色系で表される印刷画像に変換するための色変換テーブルを記憶する記憶部と、
印刷に使用される前記インク構成と、印刷媒体の種類と、を含むテーブル識別情報を取得する識別情報取得部と、
取得された前記テーブル識別情報に対応する前記色変換テーブルが前記記憶部に記憶されていない場合、取得された前記テーブル識別情報に対応する前記色変換テーブルを取得するための複数の手段を選択可能に提示する提示部と、
提示された前記複数の手段から１つの手段が選択された場合に、選択された前記手段に基づいて、前記色変換テーブルを準備する準備部と、
を備える、印刷装置。
【請求項２】
請求項１に記載の印刷装置であって、
前記複数の手段は、
既に作成された前記色変換テーブルを外部から取得する手段と、
前記色変換テーブルを新たに作成する手段と、
を含む、
印刷装置。
【請求項３】
請求項１または請求項２に記載の印刷装置であって、
前記準備部は、前記色変換テーブルを新たに作成した場合に、作成された前記色変換テーブルを、取得された前記テーブル識別情報と対応づけて前記記憶部に記憶する、
印刷装置。
【請求項４】
請求項１から請求項３までのいずれか一項に記載の印刷装置であって、
通信部を、さらに備え、
前記準備部は、前記通信部を介して、前記印刷装置とは異なる外部装置から、取得された前記テーブル識別情報に対応する前記色変換テーブルを取得する、
印刷装置。
【請求項５】
請求項１から請求項４までのいずれか一項に記載の印刷装置であって、
前記提示部は、さらに、
各前記手段を実行する際の手間を示す情報と、
各前記手段により取得された前記色変換テーブルを用いて前記原画像を前記印刷画像に変換した場合における印刷画質を示す情報と、
を提示する、
印刷装置。
【請求項６】
請求項５に記載の印刷装置であって、
前記手間を示す情報は、
前記色変換テーブルを取得するのに要する時間と、
前記色変換テーブルを取得するのに要する測色枚数と、
のうちの少なくとも一つである、
印刷装置。
【請求項７】
請求項３から請求項６までのいずれか一項に記載の印刷装置であって、
前記テーブル識別情報は、インク吐出量の上限値を、さらに含み、
前記準備部は、新たに作成する前記色変換テーブルの前記上限値を、前記記憶部に記憶されている前記色変換テーブルの前記上限値を定数倍して得られる値に設定する、
印刷装置。
【請求項８】
請求項１から請求項７までのいずれか一項に記載の印刷装置であって、
前記印刷媒体に対して複数のノズルからインクを吐出して前記印刷画像を印刷する印刷制御部を、さらに備え、
前記提示部は、さらに、印刷に使用する前記インク構成を選択可能に提示し、
前記印刷制御部は、提示された前記インク構成から印刷に使用する前記インク構成が選択された場合に、選択されていない前記インク構成に対応する前記ノズルから前記インクを吐出しない制御を実行する、
印刷装置。
【発明の詳細な説明】
【技術分野】
【０００１】
本開示は、印刷装置に関する。
【背景技術】
【０００２】
印刷装置は、ＲＧＢなどの表色系で作成された画像をＣＭＹＫなどの表色系を用いて印刷する。このため、印刷装置では、印刷に先立って、入力表色系と出力表色系との対応関係を示す色変換テーブルを用いて、印刷対象の画像の画像データを、印刷装置のインク色の色空間により表される画像データに変換する。例えば、特許文献１には、既に作成済みの色変換テーブルが印刷装置に記憶されていない場合、印刷媒体の種類、インク色、および印刷品質等の印刷条件に対応する色変換テーブルを作成する技術が開示されている。
【先行技術文献】
【特許文献】
【０００３】
【特許文献１】特開２０１３−６９２０２号公報
【発明の概要】
【発明が解決しようとする課題】
【０００４】
特許文献１に記載の技術は、入力表色系と出力表色系との間の色変換テーブルがない場合にも対応し得る優れた技術であるが、本願発明の発明者は、使用者の利便性の向上の観点において更に改善し得ることを見出した。
【課題を解決するための手段】
【０００５】
本開示の一実施形態によれば、印刷に使用するインク構成を変更可能な印刷装置が提供される。この印刷装置は、第１表色系で表された原画像を印刷用の第２表色系で表される印刷画像に変換するための色変換テーブルを記憶する記憶部と、印刷に使用される前記インク構成と、印刷媒体の種類と、を含むテーブル識別情報を取得する識別情報取得部と、取得された前記テーブル識別情報に対応する前記色変換テーブルが前記記憶部に記憶されていない場合、取得された前記テーブル識別情報に対応する前記色変換テーブルを取得するための複数の手段を選択可能に提示する提示部と、提示された前記複数の手段から１つの手段が選択された場合に、選択された前記手段に基づいて、前記色変換テーブルを準備する準備部と、を備える。
【図面の簡単な説明】
【０００６】
【図１】印刷装置の概略構成を示す説明図。
【図２】制御部の構成を示すブロック図。
【図３】使用インク構成設定画面の一例を模式的に示す説明図。
【図４】印刷処理の処理手順を示すフローチャート。
【図５】色変換テーブル準備処理の処理手順を示すフローチャート。
【図６】色変換テーブルの取得手段の選択画面の一例を模式的に示す説明図。
【図７】色変換テーブルの取得手段の選択画面の他の例を模式的に示す説明図。
【図８】報知表示画面の一例を模式的に示す説明図。
【発明を実施するための形態】
【０００７】
Ａ．実施形態：
Ａ１．装置構成：
図１は、本開示の一実施形態としての印刷装置１００の概略構成を示す説明図である。印刷装置１００は、印刷媒体Ｐに対して複数のノズルからインクを吐出することにより、印刷媒体Ｐ上にドットを形成し、画像等を印刷する。この印刷装置１００は、印刷設定条件に対応する色変換テーブルが印刷装置１００に記憶されていない場合、ユーザーにより指定される手段に基づいて色変換テーブルを準備した上で、印刷を実行する。本実施形態において、色変換テーブルとは、ＲＧＢで表された画像データから印刷装置１００のインク色で表された印刷データに変換するルックアップテーブルを意味する。色変換テーブルは、印刷処理における色変換処理において、印刷対象となる原画像の画像データを、印刷装置１００のインク色の色空間により表される印刷画像の画像データに変換する際に用いられる。なお、色変換テーブルとして、デバイス非依存の表色系の入力値と、印刷装置１００に依存する表色系の出力値と、が対応づけられたＩＣＣプロファイルを用いてもよい。印刷処理および色変換テーブルの準備方法についての詳細な説明は、後述する。
【０００８】
図１では、印刷装置１００に加えて、印刷制御装置１０および外部装置３０を示している。印刷制御装置１０および外部装置３０は、印刷装置１００と通信可能に構成されている。印刷制御装置１０は、印刷装置１００に原画像の画像データおよび印刷設定条件を示すパラメーターを送信し、印刷を実行させる。外部装置３０は、サーバー装置であり、印刷装置１００に必要があれば色変換テーブルを提供する。本実施形態において、印刷制御装置１０および外部装置３０は、コンピューターにより構成されている。
【０００９】
印刷装置１００は、ヘッドユニット１３０と、キャリッジモーター１５０と、搬送モーター１６０と、駆動ベルト１２１と、フレキシブルケーブル１２２と、プラテン１２３と、提示部１７０と、操作部１７５と、制御部２００とを備える。
【００１０】
ヘッドユニット１３０は、フレキシブルケーブル１２２を介して制御部２００と電気的に接続されている。ヘッドユニット１３０は、図示しないキャリッジガイドに主走査方向Ｄ１に往復移動可能に取り付けられている。ヘッドユニット１３０は、駆動ベルト１２１を介してキャリッジモーター１５０に接続され、キャリッジモーター１５０の回転に伴い主走査方向Ｄ１に沿って往復移動する。
【００１１】
ヘッドユニット１３０は、キャリッジ１３１と、２つのインクカートリッジ１３２と、４つのサブインクタンク１３３と、測色部１３４と、印刷ヘッド１３５とを備える。キャリッジ１３１には、インク色ごとの２つのインクカートリッジ１３２および４つのサブインクタンク１３３が装着されている。２つのインクカートリッジ１３２は、キャリッジ１３１に脱着可能に装着され、４つのサブインクタンク１３３は、キャリッジ１３１に固定して装着されている。本実施形態において、２つのインクカートリッジ１３２には、レッドＲ、グリーンＧのインクがそれぞれ収容されている。４つのサブインクタンク１３３には、シアンＣ、マゼンタＭ、イエローＹ、ブラックＫのインクがそれぞれ収容されている。
【００１２】
各サブインクタンク１３３は、インク供給チューブ１３６を介してインクタンク１３７に接続している。各インクタンク１３７には、自身に接続されているサブインクタンク１３３に対応するインク色のインクが貯蔵されている。サブインクタンク１３３に収容されているインクの残量が所定の閾値を下回ると、制御部２００からの制御信号に応じて、インクタンク１３７からサブインクタンク１３３にインクが供給される。インクタンク１３７に収容されているインクの残量が所定の閾値を下回ると、制御部２００からの制御信号に応じて、インクの供給を促す報知表示が提示部１７０に表示される。すなわち、インクタンク１３７にインクを供給することで、サブインクタンク１３３を交換することなく、使用を継続できる。
【００１３】
他方、各インクカートリッジ１３２に収容されているインクの残量が所定の閾値を下回ると、制御部２００からの制御信号に応じて、インクカートリッジ１３２の交換を促す報知表示が提示部１７０に表示される。すなわち、インクカートリッジ１３２は、サブインクタンク１３３と異なり、インクが十分に収容されているインクカートリッジ１３２に交換しなければ、使用を継続できない。
【００１４】
図１に示すように、キャリッジ１３１におけるカートリッジ取り付け空間ｓｐには、インクカートリッジ１３２が装着されていない。カートリッジ取り付け空間ｓｐには、レッドＲおよびグリーンＧとは異なる色のインクが収容されたインクカートリッジ１３２が装着されてもよい。また、インクカートリッジ１３２に収容されるインクは、レッドＲ、グリーンＧに限らず、オレンジ、ブルー、ホワイト、透明等の他の任意の特色インクであってもよい。
【００１５】
本実施形態において、印刷装置１００のインク構成は、変更可能に構成されている。本実施形態において、「インク構成」とは、印刷装置１００において使用可能なインク色（色材）の組み合わせを意味する。例えば、上述のように、ユーザーの所望するインク色のインクカートリッジ１３２をキャリッジ１３１に装着することで、インク構成を変更できる。また、後述のように、キャリッジ１３１に装着されたインクカートリッジ１３２のうち印刷に使用するインク色を指定することで、インク構成を変更できる。本実施形態では、キャリッジ１３１に装着さていても、印刷に使用するインクとして設定されていないインクカートリッジ１３２のインクは、ノズルから吐出されないように制御される。なお、サブインクタンク１３３のインク色Ｃ、Ｍ、ＹおよびＫについては、変更できない。すなわち、インク色Ｃ、Ｍ、ＹおよびＫは、原則として、印刷に使用される。インク構成の変更についての詳細な説明は、後述する。
【００１６】
測色部１３４は、印刷媒体Ｐに形成されたドット群の色空間中の座標における各成分Ｌ＊値、ａ＊値およびｂ＊値を測色する。Ｌ＊ａ＊ｂ＊は、ＣＩＥにより規格化された表色系である。測色部１３４は、キャリッジ１３１の印刷媒体Ｐに対向する面に配置されており、キャリッジ１３１が主走査方向Ｄ１に移動する際に測色する。測色部１３４は、キャリッジ１３１において印刷ヘッド１３５よりも副走査方向Ｄ２の下流側に配置されているので、印刷媒体Ｐが印刷ヘッド１３５により下流側に搬送された際に測色できる。副走査方向Ｄ２は、主走査方向Ｄ１と交差する方向であり、本実施形態では、主走査方向Ｄ１と直交する方向である。
【００１７】
本実施形態では、測色部１３４は、分光センサーにより構成されている。測色部１３４は、印刷媒体Ｐに形成されたドット群の分光反射率を測定し、測定された各分光反射率から等色関数を用いてＬ＊値、ａ＊値およびｂ＊値に変換する。なお、分光反射率からＬ＊ａ＊ｂ＊に変換する際に特定する光源として、ＣＩＥ標準の光源Ｄ５０を採用してもよい。得られたＬ＊値、ａ＊値およびｂ＊値は、制御部２００に送信され、後述の印刷処理において、色変換テーブルを作成する際に利用される。
【００１８】
印刷ヘッド１３５には、印刷媒体Ｐに対向する面にインクを吐出する複数のノズル列が設けられている。各インクカートリッジ１３２および各サブインクタンク１３３から印刷ヘッド１３５に供給されたインクは、かかるノズルから液滴状に吐出される。
【００１９】
搬送モーター１６０は、制御部２００からの制御信号に応じて駆動する。搬送モーター１６０の動力をプラテン１２３に伝達することにより、印刷媒体Ｐが副走査方向Ｄ２に搬送される。図１において、印刷媒体Ｐは、副走査方向Ｄ２の上流から下流に沿って搬送される。
【００２０】
印刷装置１００は、後述の印刷処理において、制御部２００からの制御信号に基づいて、ヘッドユニット１３０を主走査方向Ｄ１に沿って移動するとともにヘッドユニット１３０から印刷媒体Ｐにインクを吐出する制御と、印刷媒体Ｐを副走査方向Ｄ２に搬送するための搬送モーター１６０の制御と、を交互に繰り返す。これにより、印刷媒体Ｐに印刷画像が印刷される。
【００２１】
提示部１７０は、印刷装置１００に関する種々の操作を行うために用いられる。提示部１７０は、大型の液晶画面を備えており、印刷装置１００の各種機能を利用する際のメニュー画面や、誤動作やエラー等をユーザーへ報知するための情報画面が表示される。印刷装置１００は、後述の操作部１７５を操作することにより入力されるユーザーの指示に基づいて制御される。上述のメニュー画面には、例えば、印刷に使用するインク色を設定するための画面や、色変換テーブルを準備する際の手段を選択するための画面等が表示される。なお、提示部１７０は、印刷制御装置１０に設けてもよい。
【００２２】
操作部１７５は、提示部１７０に表示されるメニュー画面を操作するためのユーザーインターフェイスである。ユーザーは、操作部１７５を操作することにより、提示部１７０における種々の設定を行うことができる。なお、操作部１７５は、印刷制御装置１０に設けてもよい。
【００２３】
図２は、制御部２００の構成を示すブロック図である。制御部２００は、印刷装置１００の全体的な制御を行う。制御部２００は、ＣＰＵ２２０と、記憶部２３０とを備える。ＣＰＵ２２０および記憶部２３０は、内部バスを介して双方向に通信可能に接続されている。記憶部２３０は、ＲＯＭ、ＲＡＭ、およびＥＥＰＲＯＭを含む。
【００２４】
ＣＰＵ２２０は、記憶部２３０に予め格納されている制御プログラムを実行することにより、解像度変換部２２１、色変換部２２２、ハーフトーン処理部２２３、インターレース処理部２２４、印刷制御部２２５、使用インク設定部２２６、識別情報取得部２２７、および準備部２２８として機能する。
【００２５】
解像度変換部２２１は、印刷制御装置１０から送信された印刷対象となる原画像の解像度を、印刷装置１００の印刷解像度に変換する。本実施形態では、原画像は、Ｒ、Ｇ、Ｂの色成分からなる第１表色系で表されている。
【００２６】
色変換部２２２は、第１表色系によって表現されている原画像の画像データを、使用インク色の色成分からなる第２表色系の画像データに変換する。色変換部２２２は、準備部２２８により準備される色変換テーブル２３７を参照して、色変換を行う。
【００２７】
ハーフトーン処理部２２３は、色変換された画像データの各色の２５６階調の入力階調値を、各色のドットの形成の有無に対応する出力階調値、換言すると、ドット形成有りとドット形成無しの２階調の階調値に変換する。
【００２８】
インターレース処理部２２４は、ハーフトーン処理後のデータ、つまり、各使用インク色のドットの形成の有無を示すドットデータを、ヘッドユニット１３０による個々の主走査で使用されるドットデータに並び替えて、印刷制御用のコマンドを含む印刷データを生成する。
【００２９】
印刷制御部２２５は、印刷データに基づく印刷装置１００の統合制御を行う。具体的には、印刷制御部２２５は、印刷データに基づき印刷ヘッド１３５が有するノズル群を駆動させるための信号を生成して、印刷ヘッド１３５に送信する。印刷制御部２２５は、搬送モーター１６０を制御して印刷媒体Ｐの供給および搬送を制御する。印刷制御部２２５は、ヘッドユニット１３０を制御してキャリッジ１３１の往復動作を制御する。
【００３０】
使用インク設定部２２６は、印刷に使用するインク構成（以下、「使用インク構成」と呼ぶ）を設定する。本実施形態において、使用インク設定部２２６は、印刷装置１００のインク構成のうち、サブインクタンク１３３のインク色Ｃ、Ｍ、ＹおよびＫと、インクカートリッジ１３２のインク色Ｒ、Ｇのうちユーザーにより指定されるインク色と、を使用インク構成として設定する。使用インク構成の設定についての詳細な説明は、後述する。
【００３１】
識別情報取得部２２７は、印刷指示とともに印刷制御装置１０から送信される印刷設定条件を示すパラメーターからテーブル識別情報を取得する。テーブル識別情報は、上述の使用インク構成と、印刷媒体Ｐの種類と、インク吐出量の上限値と、を含む。テーブル識別情報は、色変換テーブルを識別するために用いられる。印刷媒体Ｐの種類は、印刷に使用される印刷媒体Ｐの名称を示す情報である。インク吐出量の上限値は、印刷媒体Ｐへのインクの打ち込み量の上限値を意味し、印刷媒体Ｐの種類ごとに予め定められている。
【００３２】
準備部２２８は、テーブル識別情報に対応する色変換テーブル２３７を準備する。準備部２２８は、色変換テーブルを新たに作成する手段と、印刷装置１００の記憶部２３０または外部装置３０から既に作成された色変換テーブルを取得する手段と、のうちのいずれかの手段により、色変換テーブル２３７を準備する。色変換テーブル２３７の準備方法についての詳細な説明は、後述する。
【００３３】
通信部１８０は、印刷装置１００と、外部装置３０との間で無線通信を行う。外部装置３０には、複数の色変換テーブル３１が格納されている。色変換テーブル３１は、テーブル識別情報３２と対応づけて格納されている。
【００３４】
記憶部２３０には、上述の各機能部の機能を実現する制御プログラムのほか、カラーチャートデータ２３１と、色変換テーブル２３２とが予め格納されている。カラーチャートデータ２３１は、機器依存表色系の表色値によって表現されるカラー画像データである。カラーチャートデータ２３１として、例えば、日本印刷学会が制定したジャパンカラー２００１標準色や、ＥＣＩ２００２チャートを採用できる。カラーチャートデータ２３１は、後述の色変換テーブル準備処理において、色変換テーブルを新たに作成する際に用いられる。
【００３５】
色変換テーブル２３２は、第１表色系からインク色Ｃ、Ｍ、Ｙ、Ｋの色成分からなる表色系に変換するための色変換テーブルである。上述の使用インク構成として、インク色Ｃ、Ｍ、Ｙ、Ｋが設定されている場合には、色変換テーブル２３２が用いられる。色変換テーブル２３２は、テーブル識別情報２３３と対応づけて格納されている。色変換テーブル２３５は、後述の色変換テーブル準備処理において、新たに作成される色変換テーブルである。色変換テーブル２３５は、色変換テーブル準備処理が実行されることにより生成されるため、図２では、破線で示している。
【００３６】
Ａ２．使用インク構成の設定：
使用インク構成は、印刷処理を開始する前にユーザーにより予め設定される。本実施形態では、ユーザーが、提示部１７０に表示される印刷装置１００の各種機能のメニュー画面から「使用インク構成の設定」のメニューを選択することによって、提示部１７０に「使用インク構成設定画面」が表示され、かかる設定画面においてユーザーが所望する使用インク色の入力を受け付けることによって、使用インク構成が設定される。
【００３７】
図３は、使用インク構成設定画面ＳＣ１の一例を模式的に示す説明図である。使用インク構成設定画面ＳＣ１には、使用可能なインク色を示す表示欄Ｅ１およびＥ２と、使用するインク色を設定するための設定欄Ｓ１と、キャンセルボタンＳＢ１と、ＯＫボタンＳＢ２とが設けられている。
【００３８】
表示欄Ｅ１には、各サブインクタンク１３３に収容されたインク色と、各サブインクタンク１３３のインク残量とが表示されている。表示欄Ｅ２には、各インクカートリッジ１３２に収容されたインク色と、各インクカートリッジ１３２のインク残量とが表示されている。表示欄Ｅ２において、「未挿入」とは、カートリッジ取り付け空間ｓｐにインクカートリッジ１３２が装着されていないことを示している。
【００３９】
設定欄Ｓ１には、使用するインク色を設定するためのチェックボックスＣＢ１〜ＣＢ７が設けられている。各チェックボックスＣＢ１〜ＣＢ７は、ユーザーがチェックボックス形式により、使用インク色の有効・無効を選択して入力するように構成されている。チェックボックスＣＢ１〜ＣＢ７にチェックが入っている場合、使用インク色として設定される。一方、チェックボックスＣＢ１〜ＣＢ７にチェックが入っていない場合、使用インク色として設定されない。
【００４０】
上述のように、サブインクタンク１３３のインク色Ｃ、Ｍ、ＹおよびＫは、必ず印刷に用いられるため、チェックボックスＣＢ１〜ＣＢ４は、チェックが入った状態でグレーアウト表示されている。したがって、シアンＣ、マゼンタＭ、イエローＹ、ブラックＫは、使用インク色として設定される。チェックボックスＣＢ５にはチェックが入っていないので、グリーンＧのインクは、キャリッジ１３１にインクカートリッジ１３２が装着されているが、使用インク色として設定されない。チェックボックスＣＢ６にはチェックが入っているので、レッドＲのインクは、使用インク色として設定される。チェックボックスＣＢ７は、インクカートリッジ１３２が未挿入であるので、グレーアウト表示されている。
【００４１】
ユーザーが、ＯＫボタンＳＢ２を選択すると、チェックボックスＣＢ１〜ＣＢ７に設定された各設定値に基づいて使用インク色が設定されて、記憶部２３０に格納される。他方、ユーザーが、キャンセルボタンＳＢ１を選択すると、使用インク色の設定は実行されず、提示部１７０には、印刷装置１００の各種機能のメニュー画面が表示される。
【００４２】
Ａ３．印刷処理：
まず、図４に示す印刷処理の概要を説明する。上述のように、記憶部２３０に予め記憶されている色変換テーブル２３２は、第１表色系からインク色Ｃ、Ｍ、Ｙ、Ｋの色成分からなる表色系に変換する色変換テーブルである。したがって、本実施形態のように、使用インク構成として、シアンＣ、マゼンタＭ、イエローＹ、ブラックＫに加えて、レッドＲが設定されている場合には、印刷に先立って、使用インク構成に対応する色変換テーブル２３７を準備する必要がある。本実施形態における印刷処理では、まず、印刷設定条件に対応する色変換テーブルが記憶部２３０に記憶されているか否かを判定し、印刷設定条件に対応する色変換テーブルが記憶部２３０に記憶されている場合には、記憶部２３０に記憶されている色変換テーブル２３２を用いて、印刷を実行する。他方、印刷設定条件に対応する色変換テーブルが記憶部２３０に記憶されていない場合には、色変換テーブルを取得する手段をユーザーに提示し、ユーザーにより選択される手段に基づいて色変換テーブルを準備した上で、印刷を実行する。以下、詳細に説明する。
【００４３】
図４は、印刷処理の処理手順を示すフローチャートである。ユーザーが印刷制御装置１０において印刷設定条件および原画像の画像データを指定して印刷指示を行なうと、印刷処理が開始される。ステップＳ１０５において、識別情報取得部２２７は、印刷制御装置１０から送信された印刷設定条件を示すパラメーターから、印刷媒体Ｐの種類とインク吐出量の上限値とを取得する。また、識別情報取得部２２７は、記憶部２３０から、使用インク構成を取得する。
【００４４】
ステップＳ１１０において、準備部２２８は、記憶部２３０に、ステップＳ１０５において取得したテーブル識別情報に対応する色変換テーブル２３２が格納されているか否かを判定する。具体的には、準備部２２８は、ステップＳ１０５において取得したテーブル識別情報と、記憶部２３０に格納されているテーブル識別情報２３３とを照合し、テーブル識別情報における各情報が一致するか否かを判定する。
【００４５】
上述のステップＳ１１０において、記憶部２３０にテーブル識別情報に対応する色変換テーブル２３２があると判定された場合（ステップＳ１１０：ＹＥＳ）、ステップＳ１２０において、解像度変換部２２１は、指定された原画像の画像データに対して、解像度変換処理を実行し、原画像の画像データの解像度を印刷媒体Ｐに印刷する際の解像度に変換する。
【００４６】
ステップＳ１２５において、色変換部２２２は、色変換処理を実行して、ＲＧＢデータを、使用インク色の色空間により表される２５６階調の画像データに変換する。このとき、色変換部２２２は、記憶部２３０に格納されている色変換テーブル２３２を用いて、色変換を行う。
【００４７】
ステップＳ１３０において、ハーフトーン処理部２２３は、ハーフトーン処理を実行し、図示しないディザマトリックスを用いて、上述のステップＳ１２５により得られた画像データの２５６段階の階調値を、印刷装置１００で表現可能な４段階の階調値に変換する。具体的には、２５６階調のデータが、２階調を示す１ビットデータや４階調を示す２ビットデータに変換される。
【００４８】
ステップＳ１３５において、インターレース処理部２２４は、インターレース処理を実行する。具体的には、インターレース処理部２２４は、ハーフトーン処理後の画像データに基づいて、ヘッドユニット１３０による個々の主走査で使用されるドットデータに並び替える。次に、インターレース処理部２２４は、並び替えられたドットデータに印刷制御用のコマンドを付加して、印刷データを出力する。
【００４９】
ステップＳ１４０において、印刷制御部２２５は、印刷制御処理を実行し、印刷データに基づいて、ヘッドユニット１３０と、搬送モーター１６０とをそれぞれ制御する。具体的には、印刷制御部２２５は、ヘッドユニット１３０の複数回の走査および印刷媒体Ｐへのインクの吐出と、印刷媒体Ｐの副走査方向Ｄ２の下流側への搬送と、を交互に繰り返し実行させて、印刷媒体Ｐ上にドットを形成する。ステップＳ１４０の実行後、印刷処理は終了する。
【００５０】
上述のステップＳ１１０において、記憶部２３０にテーブル識別情報に対応する色変換テーブルがないと判定された場合（ステップＳ１１０：ＮＯ）、ステップＳ１１５において、準備部２２８は、色変換テーブル準備処理を実行する。
【００５１】
Ａ４．色変換テーブルの準備処理：
図５は、色変換テーブル準備処理の処理手順を示すフローチャートである。ステップＳ２０５において、提示部１７０は、色変換テーブルの取得手段を選択可能に提示する。
【００５２】
図６は、色変換テーブルの取得手段の選択画面ＳＣ２の一例を模式的に示す説明図である。選択画面ＳＣ２には、取得手段の表示欄Ｅ３と、取得手段に関連する情報の表示欄Ｅ４と、取得手段を選択するためのラジオボタンＲＢ１〜ＲＢ４と、実行ボタンＳＢ３とが設けられている。表示欄Ｅ３には、テキスト形式により複数の取得手段が表示されている。図６に示す例では、取得手段として、下記（１）〜（４）が表示されている。
（１）外部装置３０から色変換テーブルを取得
（２）色変換テーブルを新規作成
（３）既存の色変換テーブルのインク打ち込み量を変更
（４）既存の色変換テーブルのインクを置換
【００５３】
各取得手段（１）〜（４）の概要を説明すると、上記（１）の手段は、上述のステップＳ１０５において取得したテーブル識別情報に対応する色変換テーブルが外部装置３０に格納されている場合に、外部装置３０から色変換テーブル３１を取得する手段である。上記（２）の手段は、新たに色変換テーブルを作成する手段である。上記（３）および（４）の手段は、記憶部２３０に記憶されている色変換テーブル２３２および２３５を利用して、上述のステップＳ１０５において取得したテーブル識別情報に対応する色変換テーブルを作成する手段である。具体的には、色変換テーブル２３２および２３５に対応づけられているテーブル識別情報２３３の所定のパラメーターの値を、上述のステップＳ１０５において取得したテーブル識別情報の所定のパラメーターの値に変更することにより、色変換テーブルを作成する。各取得手段（１）〜（４）の詳細な説明については、後述する。
【００５４】
表示欄Ｅ４には、取得手段に関連する情報として、各取得手段（１）〜（４）により取得した色変換テーブルを用いて色変換を実行した場合における印刷画質を示す情報Ｉｎｆ１と、各取得手段（１）〜（４）を実行する際の手間を示す情報Ｉｎｆ２とが表示されている。本実施形態では、手間を示す情報Ｉｎｆ２として、測色枚数および処理時間が表示されている。印刷画質、測色枚数、および処理時間は、取得手段（１）〜（４）ごとに予め実験により算出されて、各取得手段（１）〜（４）と対応づけて、記憶部２３０に格納されている。
【００５５】
印刷画質を示す情報Ｉｎｆ１に示すように、取得手段（１）の印刷画質は「中」、取得手段（２）の印刷画質は「高」、取得手段（３）および（４）の印刷画質は「低」、と表示されている。取得手段（２）では、使用者の印刷環境を考慮した上で色変換テーブルを新たに作成するので、取得手段（１）〜（４）の中で、印刷画質は最も高い。取得手段（１）では、取得手段（２）に比べて、使用者の印刷環境を考慮できない分、取得手段（２）の印刷画質に比べて低下するが、外部装置３０から取得した色変換テーブル３１は、使用インク構成、印刷媒体Ｐの種類、インク吐出量等の印刷条件と一致しているため、印刷画質を一定水準に保つことができる。取得手段（３）では、使用インク構成および印刷媒体Ｐの種類が印刷条件と一致しているが、インク吐出量を変更するので、印刷画質は、取得手段（２）に比べて低い。取得手段（４）では、使用インク構成を変更するので、印刷画質は、取得手段（１）〜（４）の中では、最も低い。
【００５６】
また、手間を示す情報Ｉｎｆ２に示すように、取得手段（１）では、外部装置３０と通信して色変換テーブル３１を取得するので、測色を要さず、取得手段（１）〜（４）の中で処理時間が最も短い。取得手段（２）では、色変換テーブル２３７を新たに作成するので、測色枚数および処理時間が、取得手段（１）〜（４）の中で最も多い。取得手段（３）および（４）では、既存の色変換テーブル２３２および２３５を用いて色変換テーブル２３７を作成するので、取得手段（２）に比べて、測色枚数および処理時間が少ない。
【００５７】
このように、本実施形態では、印刷画質を示す情報Ｉｎｆ１および手間を示す情報Ｉｎｆ２を提示することで、ユーザーが、各取得手段（１）〜（４）のメリットおよびデメリットを容易に認識できるようにしている。
【００５８】
ラジオボタンＲＢ１〜ＲＢ４は、ユーザーがラジオボタン形式により各取得手段（１）〜（４）を選択して入力するように構成されている。図６に示す例では、取得手段（３）のラジオボタンＲＢ３は、オンに設定され、取得手段（１）、（２）および（４）の各ラジオボタンＲＢ１、ＲＢ２およびＲＢ３は、それぞれオフに設定されている。
【００５９】
ユーザーが実行ボタンＳＢ３を押下すると、図５に示すように、ステップＳ２１０が実行されて、提示部１７０は、取得手段の選択を受け付ける。次に、ステップＳ２１５において、準備部２２８は、選択された取得手段に基づき、色変換テーブル２３７を準備する。上述の各取得手段（１）〜（４）における色変換テーブルの準備手順については、詳細に説明する。
【００６０】
（１）外部装置３０から色変換テーブル３１を取得
準備部２２８は、通信部１８０を介して、外部装置３０と通信することによって、外部装置３０に格納されている色変換テーブル３１を取得する。準備部２２８は、外部装置３０に対して、上述のステップＳ１０５において取得したテーブル識別情報を送信することにより、今回の印刷設定条件に対応する色変換テーブル３１を取得し得る。なお、準備部２２８は、外部装置３０に記憶されている色変換テーブル３１およびテーブル識別情報３２の一覧情報を、予め外部装置３０から取得しておき、かかる一覧情報を参照して、取得したテーブル識別情報に対応する色変換テーブル３１が外部装置３０に格納されているか否かを確認し、外部装置３０に格納されている場合にのみ、外部装置３０から色変換テーブル３１を取得してもよい。また、一覧情報を参照した結果、外部装置３０に取得したテーブル識別情報に対応する色変換テーブル３１が格納されていない場合には、上述の色変換テーブルの取得手段の選択画面ＳＣ２において、取得手段（１）をグレーアウト表示してもよい。
【００６１】
（２）色変換テーブルを新規作成
準備部２２８は、公知の色変換テーブル作成方法に基づき、上述のステップＳ１０５において取得したテーブル識別情報に対応する色変換テーブルを新たに作成する。例えば、準備部２２８は、カラーチャートデータ２３１の印刷と、印刷されたカラーチャートデータ２３１の測色と、測色されたカラーチャートデータ２３１に基づく色変換テーブルの作成と、を実行する。作成された色変換テーブルは、取得したテーブル識別情報と対応づけて、記憶部２３０に記憶される。
【００６２】
（３）既存の色変換テーブル２３２のインク打ち込み量を変更
準備部２２８は、記憶部２３０に記憶されている色変換テーブル２３２および２３５のインク吐出量の上限値を変更して、上述のステップＳ１０５において取得したテーブル識別情報に対応する色変換テーブルを作成する。具体的には、まず、準備部２２８は、記憶部２３０に記憶されている色変換テーブル２３２および２３５のうち、テーブル識別情報のインク吐出量の上限値のみが異なる色変換テーブル２３２および２３５を探索し、複製する。次に、準備部２２８は、複製後の色変換テーブルにおけるインク吐出量の上限値を、複製元の色変換テーブル２３２および２３５におけるインク吐出量の上限値を定数倍して得られる値に設定する。そして、準備部２２８は、設定された値を用いて、色変換テーブルに格納されているインク色の色空間のすべての値を定数倍する。
【００６３】
本実施形態において、「定数倍」は、印刷媒体Ｐの種類に基づき予め定められている。例えば、普通紙用の色変換テーブルを元に、写真用紙用の色変換テーブルを作成する場合には、インク吐出量の上限値が増加するように設定されている。また、例えば、写真用紙用の色変換テーブルを元に、普通紙用の色変換テーブルを作成する場合には、インク吐出量の上限値が減少するように設定されている。インク吐出量の上限値が変更された色変換テーブルが作成されると、準備部２２８は、作成された色変換テーブルを、取得したテーブル識別情報と対応づけて、記憶部２３０に格納する。
【００６４】
（４）既存の色変換テーブル２３２のインクを置換
準備部２２８は、記憶部２３０に記憶されている色変換テーブル２３２および２３５の使用インク構成に関するパラメーターを変更して、上述のステップＳ１０５において取得したテーブル識別情報に対応する色変換テーブルを作成する。以降の説明では、記憶部２３０に記憶されている色変換テーブル２３２および２３５の使用インク構成がシアンＣ、マゼンタＭ、イエローＹ、ブラックＫであり、今回の印刷における使用インク構成がシアンＣ、マゼンタＭ、イエローＹ、ブラックＫに加えて、レッドＲである場合を例に説明する。
【００６５】
準備部２２８は、色変換テーブル２３２および２３５に設定されているパラメーターのうち、シアンＣ、マゼンタＭ、イエローＹ、ブラックＫに関するパラメーターは、既存の色変換テーブル２３２および２３５のパラメーターをそのまま利用し、レッドＲに関するパラメーターは、マゼンタＭおよびイエローＹのパラメーターを利用して設定することにより、取得したテーブル識別情報に対応する色変換テーブルを作成する。
【００６６】
具体的には、まず、準備部２２８は、記憶部２３０に記憶されている色変換テーブル２３２および２３５のうち、使用インク構成のみが異なる色変換テーブル２３２および２３５を探索し、複製する。次に、準備部２２８は、複製後の色変換テーブルにおけるレッド色のインク吐出量を、複製元の色変換テーブル２３２および２３５におけるマゼンタ色およびイエロー色のインク吐出量を用いた所定の演算を行うことにより得られる値に設定する。所定の演算としては、例えば、マゼンタ色およびイエロー色のインク吐出量をそれぞれ１／２し、得られた各値を加算してもよいし、得られた各値にインク色ごとの特性に応じた重み値を設定してもよい。例えば、複製元の色変換テーブル２３２および２３５において、マゼンタ色のインク吐出量が１０％、イエロー色のインク吐出量が１０％である場合、複製後の色変換テーブルにおいて、これらのインク吐出量をレッド色のインク吐出量として設定してもよい。色変換テーブルが作成されると、準備部２２８は、作成された色変換テーブルを、取得したテーブル識別情報と対応づけて、記憶部２３０に格納する。
【００６７】
図４および図５に示すように、上述のステップＳ２１５の実行後、上述のステップＳ１２０〜ステップＳ１４０が実行される。ステップＳ１２５では、ユーザーにより選択された手段に基づき準備された色変換テーブル２３７を用いて、色変換が行われる。
【００６８】
以上説明した本実施形態の印刷装置１００によれば、第１表色系で表された原画像を印刷用の第２表色系で表される印刷画像に変換するための色変換テーブル２３２が記憶され、印刷に使用されるインク構成と、印刷媒体Ｐの種類と、を含むテーブル識別情報が取得され、取得されたテーブル識別情報に対応する色変換テーブルが記憶部２３０に記憶されていない場合、取得されたテーブル識別情報に対応する色変換テーブル２３７を取得するための複数の手段が選択可能に提示部１７０に提示され、提示された複数の手段から１つの手段が選択された場合に、選択された手段に基づいて、色変換テーブル２３７が準備されるので、記憶部２３０に取得されたテーブル識別情報に対応する色変換テーブル２３７が記憶されている場合に複数の手段を提示する構成に比べて、処理負荷を低減できる。また、記憶部２３０に取得されたテーブル識別情報に対応する色変換テーブル２３７が記憶されていない場合に複数の手段を提示しない構成に比べて、使用者は、テーブル識別情報に対応する色変換テーブル２３７を取得する必要があることを容易に認識できる。また、使用者の所望する手段にしたがって、色変換テーブル２３７を準備することができる。したがって、色変換テーブル２３７を準備する際の使用者の利便性を向上できる。
【００６９】
複数の手段は、既に作成された色変換テーブル２３２、２３５および３１を取得する手段と、色変換テーブル２３７を新たに作成する手段と、を含むので、取得手段の選択の幅を広げることができる。色変換テーブルが新たに作成された場合に、作成された色変換テーブル２３５が、取得されたテーブル識別情報と対応づけて記憶部２３０に記憶されるので、記憶された色変換テーブル２３５を次回以降の印刷処理において利用できる。また、通信部１８０を介して、外部装置３０から、取得されたテーブル識別情報に対応する色変換テーブル３１が取得されるので、取得されたテーブル識別情報に対応する色変換テーブルを新たに作成する構成に比べて、色変換テーブル２３７を準備する時間および手間を低減できる。また、種々のテーブル識別情報に対応する色変換テーブルを予め記憶部２３０に格納しておく構成に比べて、記憶部２３０の容量を削減できる。
【００７０】
各手段（１）〜（４）を実行する際の手間を示す情報Ｉｎｆ２と、各手段（１）〜（４）により取得された色変換テーブル２３７を用いて原画像を印刷画像に変換した場合における印刷画質を示す情報Ｉｎｆ１と、が提示されるので、使用者は、各取得手段（１）〜（４）の違いを容易に認識できる。したがって、使用者が取得手段（１）〜（４）を選択する際の利便性を向上できる。また、手間を示す情報Ｉｎｆ２として、色変換テーブル２３７を取得するのに要する時間と、色変換テーブル２３７を取得するのに要する測色枚数と、が提示されるので、使用者は、各取得手段（１）〜（４）に要する手間の違いを容易に認識できる。したがって、使用者が取得手段（１）〜（４）を選択する際の利便性を向上できる。
【００７１】
新たに作成される色変換テーブル２３７のインク吐出量の上限値が、記憶部２３０に記憶されている色変換テーブル２３２および２３５のインク吐出量の上限値を定数倍して得られる値に設定されるので、記憶部２３０に記憶されている色変換テーブル２３２および２３５を利用して、容易に色変換テーブル２３７を作成できる。したがって、新たに色変換テーブルを作成する場合における処理時間を低減できる。また、印刷に使用するインク構成が提示部１７０に選択可能に提示され、印刷に使用するインク構成が選択された場合に、選択されていないインク構成に対応するノズルからインクが吐出されないので、印刷装置１００において使用するインク構成を容易に制御できる。
【００７２】
Ｂ．他の実施形態：
（１）図７は、色変換テーブルの取得手段の選択画面の他の例を模式的に示す説明図である。図７および以降の説明では、上記実施形態と同様の構成については同じ符号を用い、説明を省略する。他の実施形態（１）における選択画面ＳＣ３が上記実施形態における選択画面ＳＣ２と異なる点は、ラジオボタンＲＢ３がグレーアウト表示されている点と、表示欄Ｅ３において取得手段（３）がグレーアウト表示されている点と、表示欄Ｅ４において取得手段（３）の関連情報Ｉｎｆ１およびＩｎｆ２がグレーアウト表示されている点と、警告表示ＡＬ１が追加して表示されている点である。
【００７３】
今回の印刷における使用インク構成と、記憶部２３０に記憶されている色変換テーブル２３２に対応する使用インク構成と、が異なる場合がある。この場合、記憶部２３０に記憶されている色変換テーブル２３２のインク打ち込み量を変更することにより、今回の印刷設定条件に対応する色変換テーブルを取得できない。このため、選択画面ＳＣ３では、表示欄Ｅ３およびＥ４における取得手段（３）に関する表示と、取得手段（３）を選択するためのラジオボタンＲＢ３の表示とをグレーアウト表示することで、ユーザーが取得手段（３）を選択できないようにしている。
【００７４】
警告表示ＡＬ１には、使用インク構成が異なるために取得手段（３）を選択できない旨が表示されている。このように、今回の印刷設定条件に対応する色変換テーブルを準備できない取得手段が存在する場合には、かかる取得手段を選択できないように表示してもよいし、ユーザーに報知してもよい。このような構成においても、上記実施形態と同様な効果を奏する。
【００７５】
（２）図８は、報知表示画面ＳＣ４の一例を模式的に示す説明図である。報知表示画面ＳＣ４は、例えば、選択された手段に基づき取得した色変換テーブル２３７のインク型番と、印刷設定条件で設定されているインク型番とが異なる場合に、提示部１７０に表示される。報知表示画面ＳＣ４には、警告表示ＡＬ２と、戻るボタンＳＢ４と、次へボタンＳＢ５とが設けられている。警告表示ＡＬ２には、インク型番が異なるために取得した色変換テーブル２３７を用いて印刷を実行すると、印刷画質が低下するおそれがある旨、および印刷を実行してもよいか否かの判定を促す旨が表示されている。
【００７６】
ユーザーが、次へボタンＳＢ５を選択すると、取得された色変換テーブル２３７を用いて印刷が実行される。他方、ユーザーが、戻るボタンＳＢ４を選択すると、図６に示す、色変換テーブルの取得手段の選択画面ＳＣ２が表示される。このように、ユーザーにより選択された手段に基づき色変換テーブル２３７を準備した上で、取得した色変換テーブル２３７を用いて印刷を実行する際の注意を促す表示を行ってもよい。このような構成においても、上記各実施形態と同様な効果を奏する。
【００７７】
（３）上記各実施形態において、ヘッドユニット１３０は、測色部１３４を備えていたが、測色部１３４を省略してもよい。かかる構成では、印刷装置１００が備えるスキャナー、あるいは、印刷装置１００とは別体のスキャナーを用いて印刷されたカラーチャートデータ２３１の撮像画像データを取得し、印刷装置１００とは別体の測色機を用いて取得された撮像画像データを測色し、測色結果を制御部２００が受信してもよい。このような構成においても、上記各実施形態と同様な効果を奏する。
【００７８】
（４）上記各実施形態において、テーブル識別情報２３３は、使用インク構成、印刷媒体Ｐの種類、およびインク吐出量の上限値であったが、本開示はこれに限定されない。例えば、テーブル識別情報２３３は、インク吐出量の上限値を省略してもよい。また、例えば、テーブル識別情報２３３は、印刷解像度や、印刷パス数を含んでもよい。すなわち、一般には、テーブル識別情報は、少なくとも、使用インク構成と、印刷媒体Ｐの種類と、を含む情報であればよい。このような構成においても、上記各実施形態と同様な効果を奏する。
【００７９】
（５）上記各実施形態において、印刷装置１００は、６色のインク（シアンＣ、マゼンタＭ、イエローＹ、ブラックＫ、レッドＲ、グリーンＧ）により印刷を行っていたが、本開示はこれに限定されない。インクカートリッジ１３２、サブインクタンク１３３およびインクタンク１３７に収容されるインクの色は、上述の例に限定されない。また、インクカートリッジ１３２、サブインクタンク１３３およびインクタンク１３７の数は、上述の例に限定されない。また、サブインクタンク１３３およびインクタンク１３７を省略してもよい。かかる構成では、シアンＣ、マゼンタＭ、イエローＹ、ブラックＫの各インクは、インクカートリッジ１３２に収容されて、キャリッジ１３１に装着されてもよい。このような構成においても、上記各実施形態と同様な効果を奏する。
【００８０】
（６）上記各実施形態において、手間を示す関連情報Ｉｎｆ２は、色変換テーブル２３７を取得するのに要する測色枚数および処理時間を示す情報であったが、本開示はこれに限定されない。例えば、手間を示す関連情報Ｉｎｆ２は、処理時間を示す情報を省略して、測色枚数を示す情報のみでもよい。また、例えば、手間を示す関連情報Ｉｎｆ２は、測色枚数を示す情報を省略して、処理時間を示す情報のみでもよい。すなわち、一般には、手間を示す情報は、色変換テーブル２３７を取得するのに要する時間と、色変換テーブル２３７を取得するのに要する測色枚数と、のうちの少なくとも一つであればよい。このような構成においても、上記各実施形態と同様な効果を奏する。
【００８１】
（７）上記各実施形態において、色変換テーブル２３７の取得手段（１）〜（４）は、既に作成された色変換テーブル３１を外部から取得する手段（１）と、色変換テーブル２３７を新たに作成する手段（２）と、を含んでいたが、本開示はこれに限定されない。例えば、色変換テーブルの取得手段は、色変換テーブル２３７を新たに作成する手段のみであってもよい。また、例えば、色変換テーブル２３７の取得手段は、既に作成された色変換テーブル３１を外部から取得する手段のみであってもよい。また、例えば、色変換テーブル２３７の取得手段は、既に作成された色変換テーブル３１を外部から取得する手段および色変換テーブル２３７を新たに作成する手段とは異なる他の任意の手段であってもよい。他の任意の手段としては、例えば、既に作成された色変換テーブル２３２および２３５を記憶部２３０から取得する手段であってもよい。このような構成においても、上記各実施形態と同様な効果を奏する。
【００８２】
（８）上記各実施形態において、色変換テーブルを新たに作成した場合に、作成された色変換テーブル２３５を記憶部２３０に記憶していたが、作成された色変換テーブル２３５を記憶部２３０に記憶しなくてもよい。このような構成においても、上記各実施形態と同様な効果を奏する。
【００８３】
（９）上記各実施形態において、上述の手段（１）外部装置３０から色変換テーブルを取得する手段を提示部１７０に提示しなくてもよい。すなわち、ステップＳ１０５において取得したテーブル識別情報に対応する色変換テーブルが記憶部２３０に記憶されていない場合に、外部装置３０から色変換テーブル３１を取得しなくてもよい。このような構成においても、上記各実施形態と同様な効果を奏する。
【００８４】
（１０）上記各実施形態において、色変換テーブルの取得手段の選択画面ＳＣ２およびＳＣ３には、取得手段に加えて、印刷画質を示す情報Ｉｎｆ１および手間を示す情報Ｉｎｆ２が提示されていたが、印刷画質を示す情報Ｉｎｆ１および手間を示す情報Ｉｎｆ２の提示を省略してもよい。このような構成においても、上記各実施形態と同様な効果を奏する。
【００８５】
（１１）上記各実施形態において、上述の取得手段（３）が選択された場合に、新たに作成される色変換テーブルのインク吐出量の上限値は、記憶部２３０に記憶されている色変換テーブル２３２のインク吐出量の上限値を定数倍して得られる値に設定されていたが、本開示はこれに限定されない。例えば、新たに作成される色変換テーブルのインク吐出量の上限値は、予め実験により算出された値に設定されてもよい。このような構成においても、上記各実施形態と同様な効果を奏する。
【００８６】
（１２）上記各実施形態において、使用インク構成として選択されていないインク色のインクは、ノズルからインクが吐出されないように制御されていたが、本開示はこれに限定されない。例えば、インクカートリッジ１３２がインクの吐出を遮断する部材を備える構成においては、かかる部材により、インクカートリッジ１３２から印刷ヘッド１３５に対してインクが供給されないようにしてもよい。このような構成においても、上記各実施形態と同様な効果を奏する。
【００８７】
（１３）上記各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本開示の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【００８８】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００８９】
Ｃ．他の形態：
（１）本開示の一実施形態によれば、印刷に使用するインク構成を変更可能な印刷装置が提供される。この印刷装置は、第１表色系で表された原画像を印刷用の第２表色系で表される印刷画像に変換するための色変換テーブルを記憶する記憶部と、印刷に使用される前記インク構成と、印刷媒体の種類と、を含むテーブル識別情報を取得する識別情報取得部と、取得された前記テーブル識別情報に対応する前記色変換テーブルが前記記憶部に記憶されていない場合、取得された前記テーブル識別情報に対応する前記色変換テーブルを取得するための複数の手段を選択可能に提示する提示部と、提示された前記複数の手段から１つの手段が選択された場合に、選択された前記手段に基づいて、前記色変換テーブルを準備する準備部と、を備える。
【００９０】
この形態の印刷装置によれば、第１表色系で表された原画像を印刷用の第２表色系で表される印刷画像に変換するための色変換テーブルが記憶され、印刷に使用されるインク構成と、印刷媒体の種類と、を含むテーブル識別情報が取得され、取得されたテーブル識別情報に対応する色変換テーブルが記憶部に記憶されていない場合、取得されたテーブル識別情報に対応する色変換テーブルを取得するための複数の手段が選択可能に提示され、提示された複数の手段から１つの手段が選択された場合に、選択された手段に基づいて、色変換テーブルが準備されるので、記憶部に取得されたテーブル識別情報に対応する色変換テーブルが記憶されている場合に複数の手段を提示する構成に比べて、処理負荷を低減できる。また、記憶部に取得されたテーブル識別情報に対応する色変換テーブルが記憶されていない場合に複数の手段を提示しない構成に比べて、使用者は、テーブル識別情報に対応する色変換テーブルを取得する必要があることを容易に認識できる。また、使用者の所望する手段にしたがって、色変換テーブルを準備することができる。したがって、色変換テーブルを準備する際の使用者の利便性を向上できる。
【００９１】
（２）上記形態の印刷装置において、前記複数の手段は、既に作成された前記色変換テーブルを取得する手段と、前記色変換テーブルを新たに作成する手段と、を含んでもよい。この形態の印刷装置によれば、複数の手段は、既に作成された色変換テーブルを取得する手段と、色変換テーブルを新たに作成する手段と、を含むので、取得手段の選択の幅を広げることができる。
【００９２】
（３）上記形態の印刷装置において、前記準備部は、前記色変換テーブルを新たに作成した場合に、作成された前記色変換テーブルを、取得された前記テーブル識別情報と対応づけて前記記憶部に記憶してもよい。この形態の印刷装置によれば、色変換テーブルが新たに作成された場合に、作成された色変換テーブルが、取得されたテーブル識別情報と対応づけて記憶部に記憶されるので、記憶された色変換テーブルを次回以降の印刷処理において利用できる。
【００９３】
（４）上記形態の印刷装置において、通信部を、さらに備え、前記準備部は、前記通信部を介して、前記印刷装置とは異なる外部装置から、取得された前記テーブル識別情報に対応する前記色変換テーブルを取得してもよい。この形態の印刷装置によれば、通信部を介して、外部装置から、取得されたテーブル識別情報に対応する色変換テーブルが取得されるので、取得されたテーブル識別情報に対応する色変換テーブルを新たに作成する構成に比べて、色変換テーブルを準備する時間および手間を低減できる。また、種々のテーブル識別情報に対応する色変換テーブルを予め記憶部に格納しておく構成に比べて、記憶部の容量を削減できる。
【００９４】
（５）上記形態の印刷装置において、前記提示部は、さらに、各前記手段を実行する際の手間を示す情報と、各前記手段により取得された前記色変換テーブルを用いて前記原画像を前記印刷画像に変換した場合における印刷画質を示す情報と、を提示してもよい。この形態の印刷装置によれば、各手段を実行する際の手間を示す情報と、各手段により取得された色変換テーブルを用いて原画像を印刷画像に変換した場合における印刷画質を示す情報と、が提示されるので、使用者は、各取得手段の違いを容易に認識できる。したがって、使用者が取得手段を選択する際の利便性を向上できる。
【００９５】
（６）上記形態の印刷装置において、前記手間を示す情報は、前記色変換テーブルを取得するのに要する時間と、前記色変換テーブルを取得するのに要する測色枚数と、のうちの少なくとも一つであってもよい。この形態の印刷装置によれば、手間を示す情報として、色変換テーブルを取得するのに要する時間と、色変換テーブルを取得するのに要する測色枚数と、のうちの少なくとも一つが提示されるので、使用者は、各取得手段に要する手間の違いを容易に認識できる。したがって、使用者が取得手段を選択する際の利便性を向上できる。
【００９６】
（７）上記形態の印刷装置において、前記テーブル識別情報は、インク吐出量の上限値を、さらに含み、前記準備部は、新たに作成する前記色変換テーブルの前記上限値を、前記記憶部に記憶されている前記色変換テーブルの前記上限値を定数倍して得られる値に設定してもよい。この形態の印刷装置によれば、新たに作成される色変換テーブルのインク吐出量の上限値が、記憶部に記憶されている色変換テーブルのインク吐出量の上限値を定数倍して得られる値に設定されるので、記憶部に記憶されている色変換テーブルを利用して、容易に色変換テーブルを作成できる。したがって、新たに色変換テーブルを作成する場合における処理時間を低減できる。
【００９７】
（８）上記形態の印刷装置において、前記印刷媒体に対して複数のノズルからインクを吐出して前記印刷画像を印刷する印刷制御部を、さらに備え、前記提示部は、さらに、印刷に使用する前記インク構成を選択可能に提示し、前記印刷制御部は、提示された前記インク構成から印刷に使用する前記インク構成が選択された場合に、選択されていない前記インク構成に対応する前記ノズルから前記インクを吐出しない制御を実行してもよい。この形態の印刷装置によれば、印刷に使用するインク構成が提示部に選択可能に提示され、印刷に使用するインク構成が選択された場合に、選択されていないインク構成に対応するノズルからインクが吐出されないので、印刷装置１００において使用するインク構成を容易に制御できる。
【００９８】
本開示は、種々の形態で実現することも可能である。例えば、印刷方法、色変換テーブル作成装置、色変換テーブル作成方法、これらの装置およびこれらの方法を実現するためのコンピュータープログラム、かかるコンピュータープログラムを記録した記録媒体等の形態で実現できる。
【符号の説明】
【００９９】
１０…印刷制御装置、３０…外部装置、３１…色変換テーブル、３２…テーブル識別情報、１００…印刷装置、１２１…駆動ベルト、１２２…フレキシブルケーブル、１２３…プラテン、１３０…ヘッドユニット、１３１…キャリッジ、１３２…インクカートリッジ、１３３…サブインクタンク、１３４…測色部、１３５…印刷ヘッド、１３６…インク供給チューブ、１３７…インクタンク、１５０…キャリッジモーター、１６０…搬送モーター、１７０…提示部、１７５…操作部、１８０…通信部、２００…制御部、２２０…ＣＰＵ、２２１…解像度変換部、２２２…色変換部、２２３…ハーフトーン処理部、２２４…インターレース処理部、２２５…印刷制御部、２２６…使用インク設定部、２２７…識別情報取得部、２２８…準備部、２３０…記憶部、２３１…カラーチャートデータ、２３２…色変換テーブル、２３３…テーブル識別情報、２３５…色変換テーブル、２３７…色変換テーブル、ＡＬ１…警告表示、ＡＬ２…警告表示、Ｃ…シアン、ＣＢ１…チェックボックス、ＣＢ２…チェックボックス、ＣＢ３…チェックボックス、ＣＢ４…チェックボックス、ＣＢ５…チェックボックス、ＣＢ６…チェックボックス、ＣＢ７…チェックボックス、Ｄ１…主走査方向、Ｄ２…副走査方向、Ｅ１…表示欄、Ｅ２…表示欄、Ｅ３…表示欄、Ｅ４…表示欄、Ｇ…グリーン、Ｉｎｆ１…関連情報、Ｉｎｆ２…関連情報、Ｋ…ブラック、Ｍ…マゼンタ、Ｐ…印刷媒体、Ｒ…レッド、ＲＢ１…ラジオボタン、ＲＢ２…ラジオボタン、ＲＢ３…ラジオボタン、ＲＢ４…ラジオボタン、Ｓ１…設定欄、ＳＢ１…キャンセルボタン、ＳＢ２…ＯＫボタン、ＳＢ３…実行ボタン、ＳＢ４…戻るボタン、ＳＢ５…次へボタン、ＳＣ１…使用インク構成設定画面、ＳＣ２…選択画面、ＳＣ３…選択画面、ＳＣ４…報知表示画面、Ｙ…イエロー、ｓｐ…カートリッジ取り付け空間
【図１】
2020059249.tif 000003
【図２】
2020059249.tif 000004
【図３】
2020059249.tif 000005
【図４】
2020059249.tif 000006
【図５】
2020059249.tif 000007
【図６】
2020059249.tif 000008
【図７】
2020059249.tif 000009
【図８】
2020059249.tif 000010